(57)【特許請求の範囲】
【請求項１】
ファクシミリ操作に関連した各種機能動作の設定を少なくとも一部を画面に触れることで行うファクシミリ用操作ユニットにおいて、上記各種機能動作の項目及び設定内容が通信条件、通信先に分類されて、上記通信条件が上記画面の第一の領域に、通信先が上記画面の第二の領域にそれぞれ同時に表示されるとともに、上記各種機能動作の項目であって通信条件の設定項目を触れることにより、通信条件の詳細条件が第一の領域に表示され設定可能とするとともに、上記各種機能動作の項目であって通信先の設定項目を触れることにより、通信先の詳細条件が第二の領域に表示され設定可能とすることを特徴とする操作ユニット。
【請求項２】
第一の領域に表示される設定項目と第二の領域に表示される設定項目の表示の大きさを異ならせて配置することを特徴とする請求項１に記載の操作ユニット。
【請求項３】
第二の領域は、ファクシミリ送信先の宛先を表示する第三の領域と、予め登録されているアドレス選択肢を表示する第四の領域とで構成され、上記各種機能動作の項目であって通信先の設定項目を触れることにより、通信先の詳細条件が第四の領域に表示され設定可能とすることを特徴とする請求項１又は２に記載の操作ユニット。
【請求項４】
上記第一の領域に表示される通信条件は、ファクシミリ原稿の読取条件と、ファクシミリ原稿の送信条件とに分類され、上記読取条件を第五の領域に、上記送信条件を第六の領域に表示するとともに、第二の領域を第五の領域と第六の領域の間に配置することを特徴とする請求項１〜３のいずれか一項に記載の操作ユニット。
【請求項５】
上記第一の領域に表示される各種機能動作の項目であって通信条件の設定項目を触れることにより、通信条件の詳細条件が上記第四の領域に表示され設定可能とすることを特徴とする請求項３又は４に記載の操作ユニット。
【発明の詳細な説明】
【０００１】
【発明の属する技術分野】
本発明は、ファクシミリやファクシミリ機能を搭載した所謂複合機に適用される操作ユニットに関するもので、ファクシミリ機能を用いる際に複数の指定項目の相互関係について視認性に優れた操作画面をもたらすものである。
【０００２】
【従来の技術】
マイクロ波を利用して紙面を遠隔地に送信し、あるいは遠隔地から受信する装置であるファクシミリ（ファクス）は、送信先（宛先）指定、付加されるべき通信情報の指定などが必要であり、これら種々の指定項目に関しては通常、装置筐体上面に、送信／受信動作を開始させるスタートキー、各種動作を停止させるストップキー、送信先電話番号を入力するためのテンキーなどと共に、指定キーが配設され、該当項目が指定できるようになっている。
【０００３】
最近のファクシミリにおいては、読み取り／取り込み原稿の文字サイズや濃度に合わせて読み取り／取り込み操作選択を行ったり、相手先の操作で送信可能なポーリング送信や他のファクス機を経由して複数の相手先に送信する中継依頼などの特殊機能を利用できるようになっている。紙切れ、ペーパージャムなど簡単な障害チェック表示や読み取り枚数の計数表示などの機能も付加されている。さらに様々なＯＡ機能を融合した複合機では、複写やプリンター出力の他機能を実行中でもファクス送信の操作が可能なタイプのものなど、色々とオペレータの利便、効率向上を図ったものが提案され、実用に供されている。
【０００４】
【発明が解決しようとする課題】
上記のような多様な機能に対してはそれぞれ操作のためのキーが備えられ、その機能操作に関する表示も操作部の表示画面に示されることになるが、当然のこととして、機能が増えるにつれて操作キーも表示すべき項目も相関的に増大する。
【０００５】
ファクシミリに限っても、増大した操作キー全て及び対応する表示画面を平面的に筐体上面に配置することが容易でなくなってきている。そのため、表示画面については各種機能に対して画面切換で対応するようになり、更にはスタートキーやテンキーなど、基本的なキーのみを機械的なキーとし、その他の多様な機能のための設定乃至操作キーについては、液晶を用いたタッチパネルによってキー部分すら切り換えで表示するようにした構成のものも実用化されている。
【０００６】
しかしながら、操作機能を画面切り換えで順次行うようにした上記タッチパネル式の操作においても、多様な機能の適切な整理統合がなされておらず、一連の指定乃至設定操作の途中で既に指定済みのものを変更する必要が生じた場合に、該当の機能指定ステップまで画面を次々と切り換えた上で変更を行わなければならず、かなりの煩わしさがあり、また状況によって指定の組み合わせができなくなるなどの不具合が生じていた。
【０００７】
そこで本発明は、ファクシリの設定項目の切り分けを明確にし、互いの設定条件との組み合わせが理解しやすくなったファクシミリ用操作ユニットを提供することを課題とする。
【０００８】
【課題を解決するための手段】
上記課題は、本発明にしたがって、ファクシミリ操作に関連した各種機能動作の設定を少なくとも一部を画面に触れることで行うファクシミリ用操作ユニットにおいて、上記各種機能動作の項目及び設定内容が通信条件、通信先に分類されて、上記通信条件が上記画面の第一の領域に、通信先が上記画面の第二の領域にそれぞれ同時に表示されるとともに、上記各種機能動作の項目であって通信条件の設定項目を触れることにより、通信条件の詳細条件が第一の領域に表示され設定可能とするとともに、上記各種機能動作の項目であって通信先の設定項目を触れることにより、通信先の詳細条件が第二の領域に表示され設定可能とすることによって解決される。
【０００９】
第一の領域に表示される設定項目と第二の領域に表示される設定項目の表示の大きさを異ならせて配置していれば、好適である。第二の領域は、ファクシミリ送信先の宛先を表示する第三の領域と、予め登録されているアドレス選択肢を表示する第四の領域とで構成され、上記各種機能動作の項目であって通信先の設定項目を触れることにより、通信先の詳細条件が第四の領域に表示され設定可能となっていれば、一層好都合である。上記第一の領域に表示される通信条件は、ファクシミリ原稿の読取条件と、ファクシミリ原稿の送信条件とに分類され、上記読取条件を第五の領域に、上記送信条件を第六の領域に表示するとともに、第二の領域を第五の領域と第六の領域の間に配置するのがよい。上記第一の領域に表示される各種機能動作の項目であって通信条件の設定項目を触れることにより、通信条件の詳細条件が上記第四の領域に表示され設定可能とすれば、なお一層好ましい。
【００１０】
【発明の実施の形態】
本発明の詳細を、図に示された例に基づいて説明する。
本発明に係る操作ユニットたる操作表示部８を含んだ複合機のファクシミリ機能としての全体制御システムの構成を図１に示す。符号１はファクシミリのプログラムを実行するマイクロプロセッサ、符号２はマイクロプロセッサ１のアドレス、データ及びコントロールバスで、符号３，４，５はそれぞれ当該バス２を通してマイクロプロセッサ１に接続された読み出し専用メモリ(ROM)、読み書き両用メモリ(RAM)及び不揮発メモリ(NVRAM)である。符号６はバス２を通してマイクロプロセッサ１に接続された出入力ポートであり、装置内のモータ、ソレノイドなどの出力負荷、センサなどの入力信号が接続されている。符号７はシリアル通信制御ユニットであり、操作表示部８との信号の授受を実行している。
【００１１】
図２に上記操作表示部８の概略な外観平面を示す。中央部に操作の状態やメッセージを表示するタッチパネル式の画面８０がある。当該画面８０はパネル表面に触れることでキー入力できるタッチパネルキーと表示用ＬＣＤとで構成されたものである。タッチパネルキーの検出回路や座標検出方法については公知であるので説明を省略する。画面８０の右隣位置にテンキー／＃キー（エンターキー）８１が配置され、これらテンキーよりもだいぶ大きな円板状のスタートキー８２が更に右側に配置されている。テンキー／＃キー８１とスタートキー８２の間に、入力した数値を取り消したり、送信を中断したり、動作を停止するためのクリア／ストップキー８３が位置する。テンキー／＃キー８１より上側には、プログラムキー８４、リセット／予熱キー８５、割り込みキー８６が位置する。
【００１２】
タッチパネル画面８０の左上側には、使用条件に合わせて初期設定値や操作条件を変更するための初期設定／カウンターキー８８が位置している。タッチパネル画面８０左側で初期設定／カウンターキー８８の下には複合機としての切り換えキーとしてコピー機能キー９０、コピーサーバー機能キー９１、プリンタ機能キー９２が並んでいる。なお、この操作表示部を備えた複合機の機械的構成や動作は周知のものであるので、複合機の全体的な図示及び説明は省略する。また当該操作表示部は、複合機の操作部として示されているが、ファクシミリ機能を単独に有したファクシミリ装置の操作部であってもよい。
【００１３】
図３に、ファクシミリ送信操作時におけるタッチパネル画面（図２の符号８０）の基本表示（初期画面）の一例を示す。この画面は基本的に３分割されてなるものであり、画面中央領域は、「ファクスできます」など操作状態やメッセージを表示したり、メモリの残容量を％で表示する他、宛先や宛先ごとに指定される内容を表示している。宛先（相手先）を登録しておくと、図示のように、宛先表が表示されるが、宛先を登録していない場合、図２のテンキー８１を使ってファクス番号を入力することとなる。登録された宛先を素早く呼び出すには、当該宛先の先頭字の属する行（あ行、か行など）に応じた呼び出しを行う。「グループ」は、登録されている複数の相手先を指定できるものである。「回線選択」は２回線以上接続しているときに、使用する回線を指定するものである。「拡張あて先」にタッチすると図４の画面に切り換わり、送信用Ｆコード等を入力して親展機能を有する相手先に親展送信を行ったり、遠くの複数の相手先に送信する際の中継局経由を操作したり、ＩＳＤＮ回線でのUser-User Information 機能を利用する際のサブアドレス指定を行うことができる。
【００１４】
画面左側領域は、複数ページの原稿を送信するときに読み取られるべき原稿のページごとの設定内容を表示している。特にこれら原稿の途中に画質を変更したいページがあるときに有効である。原稿の文字サイズや原稿種類に関して指定を行う。通常、セットされた原稿のサイズは自動的に判断して読み取られるが、「読み取りサイズ」にタッチして図５に示された表示画面に切り換えることで、サイズ指定を行うことができる。また画面右側領域の「送信補助」にタッチすることで中央領域下側を図６に示された表示画面に切り換え、見開き原稿や両面原稿の指定を行うことができ、更には同じ送信補助画面で「文書添付」にタッチして送信原稿の１ページ目に予め登録されている文書を添付して送信することができ、あるいは「定型文印字」にタッチして送信原稿の１ページ目の先端に「マル秘」や「至急」といった定型文を印字することができる。「済みスタンプ」にタッチすれば、メモリー送信時に読み取り済み、直接送信時に送信済みの原稿の送信する面にスタンプ（○印）を押すことができる。
【００１５】
画面右側領域は、送信する文書ファイルごとに設定する内容を表示している。「通信管理レポート」は送信・受信の結果や履歴を確認するためのものである。「時刻指定送信」は指定した時刻に自動的に送信を行うためのものである。「拡張送信」の機能には、図７に示されたものがある。「納期指定送信」は送信やポーリング受信を完了させたい時刻を指定することで、指定した時刻まで何度でもリダイヤルを繰り返して送信を試みる機能である。「優先送信」は複数のメモリー送信が既に予約されているときにその予約メモリーよりも先に送信を行うためのものである。「Ｇ４メールサービス」はＩＳＤＮを利用して、Ｆネットの短縮ダイヤルにファクス番号を登録したり、Ｆネットから親展通信の原稿を受信したりすることに用いるものである。図６の送信補助画面に示された「オプション設定」は原稿の１ページ目の先端に、予め登録してある発信元名称や宛名を付けて送信したりするためのものである。
【００１６】
【発明の効果】
本発明によれば、ファクシミリ操作に関連した各種機能動作の設定を少なくとも一部を画面に触れることで行うファクシミリ用操作ユニットにおいて、上記各種機能動作の項目及び設定内容が通信条件、通信先に分類されて、上記通信条件が上記画面の第一の領域に、通信先が上記画面の第二の領域にそれぞれ同時に表示されるとともに、上記各種機能動作の項目であって通信条件の設定項目を触れることにより、通信条件の詳細条件が第一の領域に表示され設定可能とするとともに、上記各種機能動作の項目であって通信先の設定項目を触れることにより、通信先の詳細条件が第二の領域に表示され設定可能とするので、設定項目の切り分けが明確化し、互いの設定条件との組み合わせが理解しやすくなる。
【図面の簡単な説明】
【図１】本発明に係る操作表示部を含んだファクシミリの制御ブロック図である。
【図２】本発明に係る操作表示部の概略平面図である。
【図３】操作時におけるタッチパネル画面の初期画面を示す図である。
【図４】拡張宛先の設定を行う場合のタッチパネル画面の図である。
【図５】原稿読み取りの際の読み取りサイズを設定する際のタッチパネル画面の図である。
【図６】送信補助機能を利用する場合のタッチパネル画面の図である。
【図７】拡張送信機能を利用する場合のタッチパネル画面の図である。
【符号の説明】
８０  タッチパネル式画面
８１  テンキー／♯キー
８２  スタートキー
８３  クリア／ストップキー
【図１】
0003703996.tif 000002
【図２】
0003703996.tif 000003
【図３】
0003703996.tif 000004
【図４】
0003703996.tif 000005
【図５】
0003703996.tif 000006
【図６】
0003703996.tif 000007
【図７】
0003703996.tif 000008